(57)【要約】【課題】本発明の課題は、媒体の劣化に影響されず高い識別精度をもち、また混合状態でも瞬時に金種枚数を判読できる貨幣識別装置を提供することにある。【解決手段】少なくとも金種情報を記憶するとともに送受信部を備える貨幣と通信可能とする送受信部と、前記貨幣の金種情報を記憶する記憶部と、貨幣と通信可能とする送受信部にて読み取った金種情報により前記貨幣の金種を識別する制御部とを備え、複数貨幣の金種を一度に識別する。【選択図】図１
2008090697.tif 000002
【特許請求の範囲】
【請求項１】
少なくとも金種情報を記憶するとともに送受信部を備える貨幣と通信可能とする送受信部と、前記貨幣の金種情報を記憶する記憶部と、貨幣と通信可能とする送受信部にて読み取った金種情報により前記貨幣の金種を識別する制御部とを備えたことを特徴とする貨幣識別装置。
【請求項２】
請求項１記載の貨幣識別装置において、貨幣の金種情報は、識別ＩＤからなり、前記記憶部に前記貨幣の識別ＩＤを記憶し、前記制御部にて貨幣から読み取った前記識別ＩＤを識別することにより金種を識別することを特徴とする貨幣識別装置。
【請求項３】
請求項２記載の貨幣識別装置において、前記貨幣の識別ＩＤを金種毎に個別に設定するとともに、前記制御部にて複数の貨幣を順次識別することを特徴とする貨幣識別装置。
【請求項４】
請求項３記載の貨幣識別装置において、送受信部から順次周波数を切り換えて前記貨幣に送信し、その応答結果により貨幣の識別ＩＤを読み取り、金種を識別することを特徴とする貨幣識別装置。
【請求項５】
請求項２ないし４のいずれかに記載の貨幣識別装置において、貨幣毎にシリアル番号を記憶させ、前記記憶部にて貨幣のシリアル番号も識別することを特徴とする貨幣識別装置。
【発明の詳細な説明】
【技術分野】
【０００１】
本発明は、金種情報を備える貨幣を識別する貨幣識別装置の改良に関する。
【背景技術】
【０００２】
まず、紙幣の金種識別は、その外形寸法、透かし位置、磁気インクの強弱、位置などを用いて行われ、硬貨の金種識別は、その外形寸法、材質、厚み、模様などにより行われていた。
しかしながら、上記紙幣あるいは硬貨において、経年変化による劣化、汚れなどを考慮して識別感度を調整する必要があり、本物と認識する受付率を優先すると、悪意により作成された偽造貨幣が本物として認識されてしまう問題もあった。
そこで、近年、硬貨に無線データキャリアを埋め込み、この硬貨の無線データキャリアに記憶されたＩＤ番号を識別装置で判別することで、偽貨を判別する方式が知られている（例えば、特許文献１参照）。
【特許文献１】特開２００１−３５１１５４号公報
【発明の開示】
【発明が解決しようとする課題】
【０００３】
ところで、特許文献１で知られるような識別装置の構成では、複数金種について考慮されておらず、また、複数金種の混合状態を同時に判別できようになっていないため、その対策が望まれていた。
本発明は、上記の点に鑑みなされたものであり、媒体の劣化に影響されず高い識別精度をもち、また混合状態でも瞬時に金種枚数を判読できる貨幣識別装置を提供することを目的とする。
【課題を解決するための手段】
【０００４】
上記目的を達成するために、本発明によれば、少なくとも金種情報を記憶するとともに送受信部を備える貨幣と通信可能とする送受信部と、前記貨幣の金種情報を記憶する記憶部と、貨幣と通信可能とする送受信部にて読み取った金種情報により前記貨幣の金種を識別する制御部とを備えたことを特徴とする。
前記貨幣の金種情報は、識別ＩＤからなり、前記記憶部に前記貨幣の識別ＩＤを記憶し、前記制御部にて前記識別ＩＤを識別することにより金種を識別することを特徴とする。
前記貨幣の識別ＩＤを金種毎に個別に設定するとともに、前記制御部にて複数の貨幣を順次識別することを特徴とする。
前記送受信部から順次周波数を切り換えて前記貨幣に送信し、その応答結果により貨幣の金種情報を読み取ることを特徴とする。
【０００５】
さらに、貨幣毎にシリアル番号を記憶させ、前記記憶部にて貨幣のシリアル番号も識別することを特徴とする。
【発明の効果】
【０００６】
本発明によれば、一枚ずつの分離や搬送を行うことなく、瞬時に金種と枚数が識別できるため、スーパーマーケットにおけるレジの預かり金の識別部へ適用した場合には、お客様の目の前で金額計上が可能となり、チェック時間の短縮と識別トラブルも防止できる。
また、各媒体には金種の識別ＩＤの他にロット番号、シリアル番号も記録してあるため、再鑑別、流通の追跡なども可能となる。
そして、送受信やＩＤ部に暗号化等を行いセキュリティの向上を行えば、偽造は極めて困難となり犯罪を未然に防ぐことが可能となる。
【発明を実施するための最良の形態】
【０００７】
以下、本発明の実施の形態を図１ないし図９に基づいて説明する。
図１はＩＤ紙幣１の概略正面図、図２は図１の概略側面図を示すものであり、ＩＤ紙幣１は以下の構成からなる。
ＩＤ紙幣１には、電波の影響を受けないフィルム状の媒体１１の間にループ状の送受信アンテナ１２と記憶部を備える制御素子１３とが配置されており、制御素子１３の記憶部には、受信周波数、ＩＤ、金種コード、製造ロット、シリアル番号が記憶されている。
図３はＩＤ硬貨３の概略正面図、図４は図２の概略側面図を示すものであり、ＩＤ硬貨３は以下の構成からなる。
ＩＤ硬貨３には、電波の影響を受けないセラミック状の媒体３１の間にループ状の送受信アンテナ３２と記憶部を備える制御素子３３とが設けられており、制御素子３３の記憶部には、受信周波数、ＩＤ、金種コード、製造ロット、シリアル番号が記憶されている。
【０００８】
図５は貨幣識別装置６の構成を示す概略ブロック図であり、貨幣識別装置６は、記憶部６１ａを備える制御部６１、送受信アンテナ６２からなり、記憶部６１ａには、金種毎の送受信周波数、ＩＤ、金種コード、製造ロット、シリアル番号が記憶されている。
図６は貨幣識別装置６の外観を示す概略構成図であり、上面に載置台６３を有し、図６に示すように、複数のＩＤ付き貨幣（例：千円のＩＤ紙幣１が１枚、１円のＩＤ硬貨３が２枚）が載置台６３上に載置されており、載置されたＩＤ付き貨幣の合計額を送受信アンテナ６２に受信するものである。
図７は各金種の割り付けを示すメモリ配置図であり、図５に示すように、日本国内にて現在発行されている一万円〜１円の１０金種について受信周波数、ＩＤ、金種コード、製造ロット、シリアル番号が割り付けられており、記憶部６１ａに記憶されている。
【０００９】
上記構成において、図８、図９のフローチャート図を参照にしながら、ＩＤ付き貨幣の処理を説明する。
まず、待機状態においては、貨幣が貨幣識別装置６の載置台６３上に載置されると（ステップＳ１）、まず、貨幣識別装置６側の送受信アンテナ６２から、例えば、大きい金種である一万円のＩＤ紙幣１の周波数である「１００ＭＨｚ」に切り換え（ステップＳ２）、ＩＤ応答指示を送信する（ステップＳ３）。ここで、一万円のＩＤ紙幣１が載置台６３に置かれていれば応答信号を送信するものであり、ＩＤ応答有りかを判断する（ステップＳ４）。ＩＤ応答があれば（ステップＳ４，Ｙｅｓ）、識別結果として一万円をセットし（ステップＳ５）、続いて識別枚数をセットする（ステップＳ６）。
なお、このときにＩＤ、ロット番号、シリアル番号も併せて記憶部６１ａにセットするものである。
【００１０】
一方、ＩＤ応答がなければ（ステップＳ４，Ｎｏ）、次順位の貨幣の周波数に切り換え、最終的には１円のＩＤ硬貨３まで切り換えて処理を行い、合計金額を算出するものである。
次に、図６に示した実例である「１００２円」のＩＤ付き貨幣を載置台６３に載置した場合におけるＩＤ付き貨幣の合計金額算出処理を説明する。
まず、待機状態においては、貨幣が貨幣識別装置６の載置台６３上に載置されると（ステップＳ１）、まず、貨幣識別装置６側の送受信アンテナ６２から、例えば、大きい金種である一万円のＩＤ紙幣１の周波数である「１００ＭＨｚ」に切り換え（ステップＳ２）、ＩＤ応答指示を送信し（ステップＳ３）、ＩＤ応答有りかを判断する（ステップＳ４）。この場合には、一万円のＩＤ紙幣１の周波数に対してＩＤ応答がないため（ステップＳ４，Ｎｏ）、ステップＳ７に移行する。
【００１１】
ステップＳ７では、五千円のＩＤ紙幣１の周波数「１０１ＭＨｚ」に切り換え、ＩＤ応答指示を送信し（ステップＳ８）、ＩＤ応答有りかを判断する（ステップＳ９）。この場合には、五千円のＩＤ紙幣１の周波数に対してＩＤ応答がないため（ステップＳ９，Ｎｏ）、ステップＳ１２に移行する。
ステップＳ１２では、二千円の周波数ＩＤ紙幣１の「１０２ＭＨｚ」に切り換え、ＩＤ応答指示を送信し（ステップＳ１３）、ＩＤ応答有りかを判断する（ステップＳ１４）。この場合には、二千円のＩＤ紙幣１の周波数に対してＩＤ応答がないため（ステップＳ１４，Ｎｏ）、ステップＳ１７に移行する。
ステップＳ１７では、千円のＩＤ紙幣１の周波数「１０３ＭＨｚ」に切り換え、ＩＤ応答指示を送信し（ステップＳ１８）、ＩＤ応答有りかを判断する（ステップＳ１９）。ここで、図７に示すように千円のＩＤ紙幣１が載置台上に一枚置かれているので、ＩＤ応答有りとして（ステップＳ１９，Ｙｅｓ）、識別結果として千円をセットし（ステップＳ２０）、続いて受信レベルにて枚数を判断して識別枚数一枚をセットして（ステップＳ２１）、ステップＳ２２に移行する。
【００１２】
ステップＳ２２では、５００円のＩＤ硬貨３の周波数である「１０４ＭＨｚ」に切り換え、ＩＤ応答指示を送信し（ステップＳ２３）、ＩＤ応答有りかを判断する（ステップＳ２４）。この場合には、５００円のＩＤ硬貨３の周波数に対してＩＤ応答がないため（ステップＳ２４，Ｎｏ）、接続子Ａで示すように図９のフローチャート図のステップＳ２７に移行する。
ステップＳ２７では、１００円のＩＤ硬貨３の周波数「１０５ＭＨｚ」に切り換え、ＩＤ応答指示を送信し（ステップＳ２８）、ＩＤ応答有りかを判断する（ステップＳ２９）。この場合には、１００円のＩＤ硬貨３の周波数に対してＩＤ応答がないため（ステップＳ２９，Ｎｏ）、ステップＳ３２に移行する。
ステップＳ３２では、５０円のＩＤ硬貨３の周波数「１０６ＭＨｚ」に切り換え、ＩＤ応答指示を送信し（ステップＳ３３）、ＩＤ応答有りかを判断する（ステップＳ３４）。この場合には、５０円のＩＤ硬貨３の周波数に対してＩＤ応答がないため（ステップＳ３４，Ｎｏ）、ステップＳ３７に移行する。
【００１３】
ステップＳ３７では、１０円のＩＤ硬貨３の周波数「１０７ＭＨｚ」に切り換え、ＩＤ応答指示を送信し（ステップＳ３８）、ＩＤ応答有りかを判断する（ステップＳ３９）。この場合には、１０円のＩＤ硬貨３の周波数に対してＩＤ応答がないため（ステップＳ３９，Ｎｏ）、ステップＳ４２に移行する。
ステップＳ４２では、５円のＩＤ硬貨３の周波数「１０８ＭＨｚ」に切り換え、ＩＤ応答指示を送信し（ステップＳ４３）、ＩＤ応答有りかを判断する（ステップＳ４４）。この場合には、５円のＩＤ硬貨３の周波数に対してＩＤ応答がないため（ステップＳ４４，Ｎｏ）、ステップＳ４７に移行する。
ステップＳ４７では、１円のＩＤ硬貨３の周波数「１０９ＭＨｚ」に切り換え、ＩＤ応答指示を送信し（ステップＳ４８）、ＩＤ応答有りかを判断する（ステップＳ４９）。ここで、図７に示すように１円ＩＤ硬貨３が載置台上に二枚置かれているので、ＩＤ応答有りとして（ステップＳ４９，Ｙｅｓ）、識別結果として１円をセットし（ステップＳ５０）、続いて受信レベルにて枚数を判断して識別枚数二枚をセットする（ステップＳ５１）。
【００１４】
このようにして、載置台６３上に千円のＩＤ紙幣１が一枚と１円のＩＤ硬貨３が二枚とが載置されていることを識別し、１００２円を上位機器に出力して（ステップＳ５２）、ＩＤ付き貨幣の識別を完了するものである。
このように、ＩＤ付き貨幣が貨幣識別装置６から送信する周波数に応答して、ＩＤを貨幣識別装置６側へ送信し、このＩＤを貨幣識別装置６で受信することで、「真」のＩＤ付き貨幣であることを判定し、しかも、この判定後、ロット番号、シリアル番号を判定することで、さらに、真偽判定が行われるものである。
また、ロット番号、シリアル番号は、ＩＤ付き貨幣発行時に付与されるもので同じ番号は無く、偽のＩＤ付き貨幣の判定あるいはＩＤ付き貨幣の流通に関しても追跡が容易となる。
【００１５】
さらに、複数枚のＩＤ付き貨幣が載置台上に置かれても、周波数を切り換えて順に判定していくことで、１枚ずつ載置台に載せて判定する必要がない。
【図面の簡単な説明】
【００１６】
【図１】本発明の実施の形態を示すＩＤ紙幣の概略正面図
【図２】図１の概略側面図
【図３】本発明の実施の形態を示すＩＤ硬貨の概略正面図
【図４】図３の概略側面図
【図５】本発明の実施の形態を示す貨幣識別装置の概略ブロック図
【図６】本発明の実施の形態を示す貨幣識別装置の概略構成図
【図７】本発明の実施の形態を示すメモリ配置図
【図８】本発明の実施の形態を示すフローチャート図
【図９】本発明の実施の形態を示すフローチャート図
【符号の説明】
【００１７】
１      ＩＤ紙幣
１２    送受信アンテナ
１３    制御素子
３      ＩＤ硬貨
３２    送受信アンテナ
３３    制御素子
６      貨幣識別装置
６１    制御部
６１ａ  記憶部
６２    送受信アンテナ
６３    載置台
【図１】
2008090697.tif 000003
【図２】
2008090697.tif 000004
【図３】
2008090697.tif 000005
【図４】
2008090697.tif 000006
【図５】
2008090697.tif 000007
【図６】
2008090697.tif 000008
【図７】
2008090697.tif 000009
【図８】
2008090697.tif 000010
【図９】
2008090697.tif 000011